(57)【要約】      （修正有）【課題】ゴルフボールの汚れ落しを簡便に行う。ボールの汚れに対し複数の払拭布面を有し、汚れ落し効果を長く持続させる。非仕様状態では扁平な袋体であり、ポケッタブルで違和感のない携帯し易いゴルフボール払拭用具。【解決手段】前カバーと後カバーの下端部との接合部を有し、両カバーの上部を相互接離可能とし、ゴルフボール収納スペースを持つ袋において、袋内部に汚れを落す払拭布を設け、両カバーの上端部を離間させて第一の開放状態とし、接合部にゴルフボールを載置して汚れを払拭する。袋の左右両端の各対向部が接離可能であり、対向部を途中まで分離した第二の開放状態と、対向部を全部分離した第一の開放状態と、対向部を全部閉じた閉状態とのいずれかの状態にでき、袋が第二の開放状態の時ゴルフボールを払拭することができる。ゴルフボールの汚れを拭き落とす第一の清掃部とゴルフボールの表面の汚れを拭き取る第二の清掃部に仕切られている。【選択図】図１
2005237394.tif 000002
【特許請求の範囲】
【請求項１】
前カバーの下端部と後カバーの下端部とを繋ぎ合せた繋ぎ合せ部を有し、かつ該両カバーの上部を互いに結合あるいは分離可能にすることでゴルフボールを収納可能に構成された袋において、該袋内部にゴルフボールの汚れを落す払拭布を設け、前記両カバーの上端部を分離して袋を第一の開放状態とし、前記繋ぎ合せ部にゴルフボールを載置して、ゴルフボールの汚れを払拭することが可能であることを特徴とする携帯用ゴルフボール払拭用具。
【請求項２】
請求項１の携帯用ゴルフボール払拭用具は、前記袋の左右両端の各対向部が接離可能であり、該対向部を途中まで分離した第二の開放状態と、前記対向部を全部分離した第一の開放状態と、前記対向部を全部閉じた閉状態とのいずれかの状態にすることが可能で、前記袋が第二の開放状態の時ゴルフボールを払拭することが可能であることを特徴とする携帯用ゴルフボール払拭用具。
【請求項３】
請求項１もしくは請求項2の携帯用ゴルフボール払拭用具は、ゴルフボールの汚れを拭き落とす第一の清掃部とゴルフボールの表面の汚れを拭き取る第二の清掃部に仕切られたことを特徴とする携帯用ゴルフボール払拭用具。 
【発明の詳細な説明】
【技術分野】
【０００１】
本発明は、プレー中に汚れたゴルフボールの汚れを落してきれいにする携帯用ゴルフボール汚れ落し具に関するものである。
【背景技術】
【０００２】
周知のように、グリーンにオンしたゴルフボールは泥や水分のために、ゴミ等の汚れが付着することが有った。このゴルフボールを拭かないでプレーを続行しパットを行うと、ゴルフボールの軌道がずれ易くなりスコアを落すことがあった。そこで、このような場合には、一旦マークして汚れたボールを拾い上げ、キャデイさんの用意した濡れタオル等でそのボールを拭いていた。また、キャデイさんがいないゴルフ場やショートコース等では、泥、ゴミ等の付着したボールを芝生でこすって泥等を落したり、あるいは手で拭いたり、ズボンで拭いたりとマナーに欠け、見苦しい場合があった。プレーヤ自身が手軽に携帯して、汚れたゴルフボールを拭くのに必要な払拭用具は、発明されているようであるが、汚れたゴルフボールを何度も拭くことができず、満足できるものではなかった。
さらに、汚れたゴルフボールを拭く場合、ゴルフボールを確実に保持できず、誤って取り落とすことがあった。
【０００３】
【特許文献１】実開平６７５５３１
【発明の開示】
【発明が解決しようとする課題】
【０００４】
特許文献１に見られるように、携帯のゴルフボールを拭くのに必要な払拭用具が考案されているが、汚れたゴルフボールを同じ部分で拭き取っていると拭き取る場所の払拭布の方が汚れてきて、最終ラウンドに近くなった時には別の払拭用具が必要になることがあった。また、汚れるのはゴルフボールだけでなく、クラブの方も汚れることがあった。本発明は、このような従来の問題点に鑑みなされたもので、その目的とするところは、ゴルフボールを確実に保持して、ゴルフボールの汚れ落しを簡単に行うこと。また、ゴルフボールの汚れ度合いに応じて、ゴルフボールと払拭布の当てる場所を変えことができ、払拭布の汚れ落し効果を長く持続させる。更に、扁平体となる袋であるためにポケットに入れても違和感がなく、携帯にも便利でゴルフプレー動作の妨げにならない、ゴルフボール汚れ落し用具を提供することにある。
【課題を解決するための手段】
【０００５】
本発明は、前カバーの下端部と後カバーの下端部とを繋ぎ合せた繋ぎ合せ部を有し、かつ該両カバーの上部を互いに結合あるいは分離可能にすることでゴルフボールを収納可能に構成された袋において、該袋内部にゴルフボールの汚れを落す払拭布を設け、前記両カバーの上端部を分離して袋を第一の開放状態とし、前記繋ぎ合せ部にゴルフボールを載置して、ゴルフボールの汚れを払拭することが可能である携帯用ゴルフボール払拭用具である。
また、携帯用ゴルフボール払拭用具は、前記袋の左右両端の各対向部が接離可能であり、該対向部を途中まで分離した第二の開放状態と、前記対向部を全部分離した第一の開放状態と、前記対向部を全部閉じた閉状態とのいずれかの状態にすることが可能で、前記袋が第二の開放状態の時ゴルフボールを払拭することが可能である携帯用ゴルフボール払拭用具である。
さらに、携帯用ゴルフボール払拭用具は、ゴルフボールの汚れを拭き落とす第一の清掃部とゴルフボールの表面の汚れを拭き取る第二の清掃部に仕切られた携帯用ゴルフボール払拭用具である。
【発明の効果】
【０００６】
ゴルフはマナーやルールを最も重んじるスポーツで、スコアも自己申告であり、自分で汚したボールやクラブは自分でこれをきれいにするのがマナーである。このゴルフのプレー中において、本発明の携帯用ゴルフボール清掃具を使用すると、第１に、ゴルフボールを確実に保持して払拭することができ、ゴルフボールの汚れを簡単に落すことができて、プレーの迅速化にも寄与し得る。第２に、本発明の携帯用ゴルフボール清掃具は、ゴルフボールの汚れを拭き落とす第一の清掃部とゴルフボールの表面の汚れを拭き取る第二の清掃部に仕切られている為、汚れ落し段階が２段回以上にすることができ、ゴルフボールの汚れ落し効果が長く持続させることができる。第３に、本発明の携帯用ゴルフボール清掃具をポケット等に入れても扁平体となるために違和感がなく、携帯にも至極である。
【発明を実施するための最良の形態】
【０００７】
ゴルフプレー中にズボンなどのウエアのポケットに違和感無く収納できる大きさ及び、ゴルフボールを包込みするサイズであるとともに、払拭用具の外側は防水処理または防水素材を用いるとともに清掃部は若干水を含ませ、湿らせた状態で使用する。また、ゴルフボールの汚れを払拭する際に上部の開口部を開いてボールを落込み使用する。また、使用後は内部を開き、清掃部を取り外して洗濯しやすくする。
【実施例１】
【０００８】
実施例１について図面を参照し、その作用と共に説明すると、図１と図２は本発明に係る携帯用ゴルフボール払拭用具１の平面図である。携帯用ゴルフボール払拭用具１はゴルフボールを収納可能な袋であり、外側がカバー２（前）とカバー（後）３で内側が払拭布１１、１２、１３からなる。カバー２は適度な硬さを有する合成樹脂、合成皮または耐水性に優れた紙等から成る二つ折りが可能な略矩形シート状の袋であり、内部の払拭布１１、１２、１３は、カバー２よりもやや小さい相似形で吸水性に優れた合成皮、布等で形成されている。
【０００９】
カバー２の左右両端の内側にはマジックテープ（登録商標）のパイル状４と５が貼り付けられ、カバー３の内側の左右両端にはパイル状４とパイル状５に対応して、マジックテープのフック状９とフック状１０が貼り付けられている。パイル状４とフック状９を対抗させ、パイル状５とフック状１０を対抗させ、各々を軽く押圧して噛合わせると、携帯用ゴルフボール払拭用具１は上部に開口部６を有した袋の状態となる。
把手３０はストラップの代用であり、先端にはマジックテープのパイル状７と根元部に設けたフック状８を合わせることで、ベルト等に取り付けることができる。
【００１０】
図２は本発明に係る携帯用ゴルフボール払拭用具１の平面図であり（図２においては理解し易くするために図３に示す払拭布１３を省略している。）、カバー３を約半分開けた時の平面図である。図３はカバー２とカバー３を約半分開け、ゴルフボール１５を清掃する断面説明図である。払拭布１１、１２、１３はゴルフボールの汚れを払拭するもので、払拭布１１と払拭布１３でゴルフボールを挟む状態の時と、払拭布１２と払拭布１３でゴルフボールを挟む状態の時とを、払拭布１３のセット位置で選択できるように配置されている。払拭布１１、１２、１３の下端部は縫い合わせることで一体に固定され、カバー２とカバー３は、払拭布１１、１２、１３を下端部で挟み込んでいる。払拭布１３の上端部は自由端となっており、カバー３側に寄せた状態（図３に相当）とカバー２側に寄せた状態を選択できるようになっている。
【００１１】
払拭布１１の右上部裏側にはマジックテープのフック状２６が配設され、カバー２の右上部の対応位置にはマジックテープのパイル状２０が配設されている。同様に払拭布１１の左上部裏側にはマジックテープのフック状３０が配設され、カバー２の左上部の対応位置にはマジックテープのパイル状２２が配設されている。払拭布１２の右上部裏側にはマジックテープのフック状２９が配設され、カバー３の右上部の対応位置にはマジックテープのパイル状２１が配設されている。同様に払拭布１３の左上部裏側にはマジックテープのフック状３１が配設され、カバー３の左上部の対応位置にはマジックテープのパイル状２３が配設されている。
【００１２】
カバー３を約半分開けた時、払拭布１１、１３はゴルフボールの汚れを拭き落とす第一の清掃部（図３図示）を仕切り、払拭布１２、１３はゴルフボールの表面の汚れを拭き取る第二の清掃部に仕切られている。
【００１３】
ゴルフボールの汚れが多い場合は、図３図示のように、第一の清掃部にてゴルフボール１５の汚れは拭き取られる。その後、払拭布１３を右側に移動させて、払拭布１２と払拭布１３の間（第二の清掃部）にゴルフボール１５を入れてゴルフボール１５の表面の汚れを拭き取ることができる。
【００１４】
従って、プレー中において、ゴルフボールが汚れてパットに支障を感じた場合、ズボンのポケット等に入れておいた当該用具を取り出し、第一の清掃部にてゴルフボール１５の大きな汚れを拭き取る。あるいは、第二の清掃部にて仕上げ用としてボール表面をより綺麗に拭き取る事ができる。
【実施例２】
【００１５】
図４は第２の実施例である携帯用ゴルフボール払拭用具の平面図である。カバー２と払拭布４０を全展開した状態を示している。尚、第１図と同じ機能の部材は同じ符号で説明する。図５は第２の実施例である携帯用ゴルフボール払拭用具１の断面説明図である。
払拭布４０は第１実施例で示した払拭布１１の約３倍の長さを持つもので、これ１枚を３つ折りにすることで（図５図示）第１の清掃部と第２の清掃部仕切ることができる。
【００１６】
図５の状態は、ゴルフボールの汚れが多い時に汚れを払拭する第１の清掃部にボールが置かれた状態を示している。この折り曲げ部を右側に倒すことで、ゴルフボールの汚れが少ない時に汚れを払拭する第２の清掃部が形成される。従って、この折り曲げ部を左右に振り分けることで、第１の清掃部と第２の清掃部を仕切っている。
マジックテープのフック状４２は払拭布４０の裏側に取り付けられ、マジックテープのパイル状４４はカバー２の内側に取り付けられている。必要に応じて、払拭布４０は新しい払拭布に取り替えることが可能である。さらに、図４の２点鎖線で示すように、左右に広げた大きさの払拭布を使用すると、ゴルフクラブのヘッド等を拭くことも可能となる。
繰り返しになるが、袋状態、あるいは半開放ではなく、完全に開放状態となった第二の開放状態で、図４の２点鎖線で示す払拭布を利用すると、ゴルフクラブのヘッドまで拭くことができるので、利用効率が大幅にアップする。
【００１７】
なお、本発明の説明で、マジックテープを使用して説明したが、必ずしもこれに限定するものではなく、ボタンやフック等に置き換えても同様の機能と効果を得ることは可能である。
【実施例３】
【００１８】
図６は第３の実施例である携帯用ゴルフボール払拭用具６０の平面図であり、図７は第３の実施例である携帯用ゴルフボール払拭用具６０の断面説明図である。尚、第１図と同じ機能の部材は同じ符号で説明する。
払拭布６６は第１実施例で示した払拭布１１の約３倍の長さを持つもので、これ１枚を３つ折りにすることで、実施例２と同様に収納され、払拭状態も複数得ることができる。
カバー２と３の外形は、ポケット等への出し入れがスムーズ行えるように略楕円形状に形成されている。カバー２と３の下端部は超音波溶着され繋ぎ合せ部５７が形成されている。この繋ぎ合せ部５７は単なる縫い合せに比べシール性に優れている。
カバー３の上方中央部にはフック（オス）６３が取り付けられ、カバー２における上方中央部対応の位置にフック６４（メス）が設けられている。フック６３、６４、マジックテープのフック状９、１０とパイル状４、５を互いに合わせることで、携帯用ゴルフボール払拭用具６０は袋状態になっている。
フック６４はリボン６５の両端部を挟み込んでカバー２の上部に取り付けられている。リボン６５はアクセサリー以外に、携帯用ゴルフボール払拭用具６０が濡れた時、風通しの良い場所に引っ掛けて乾燥させる時有効である。
払拭布６６の上端部裏側にはマジックテープのフック状６１が取り付けられ、カバー２のフック６４の下方にマジックテープのパイル６２が取り付けられている。必ずしもマジックテープを使用する必要はないが、払拭布６６の洗濯または交換のため分離できれば、ボタン、フック等をもちいても同様の効果を得ることができる。
【００１９】
フック６３、６４を分離させて、カバー２３を上部から引きはがし、マジックテープのフック状９、１０とパイル状４、５が互いに合わさった状態（第二の開放状態）とさらに広げると、マジックテープのフック状９、１０とパイル状４、５も分離し、完全に開放状態となる（第一の開放状態、図７の状態）。
【実施例４】
【００２０】
実施例４は、図６及び図７において、マジックテープのフック状９、１０とパイル状４、５を使用しない場合の携帯用ゴルフボール払拭用具である。この場合、第二の開放状態が存在しないので、繋ぎ合せ部５７がマジックテープのフック状９、１０とパイル状４、５の代用をしている。
左手に携帯用ゴルフボール払拭用具を持ち、繋ぎ合せ部５７の上に払拭布66を置き、右手に持ったゴルフボールをまわして汚れを落とす。
この場合繋ぎ合せ部５７の範囲を増加させることで、繋ぎ合せ部５７が払拭布66を介してゴルフボールの一部を包み、払拭を確実に行うことができる。
【図面の簡単な説明】
【００２１】
【図１】本発明に係る携帯用ゴルフボール払拭用具１の平面図である。一例を示した平面図
【図２】本発明に係る携帯用ゴルフボール払拭用具１の平面図であり、カバー３を約半分開けた時の平面図である。
【図３】カバー２３を約半分開け、ゴルフボール１５を清掃する状態を示す断面説明図である。
【図４】第２の実施例である携帯用ゴルフボール払拭用具１の平面図である。
【図５】第２の実施例である携帯用ゴルフボール払拭用具１の断面説明図である。
【図６】第３又は第４の実施例である携帯用ゴルフボール払拭用具６０の平面図である。
【図７】第３又は第４の実施例である携帯用ゴルフボール払拭用具６０の断面説明図である。
【符号の説明】
【００２２】
１・・・携帯用ゴルフボール払拭用具
２、３・・・カバー
４、５・・・マジックテープのパイル状
９、１０・・・マジックテープのフック状
１１、１２、１３・・・払拭布
【図１】
2005237394.tif 000003
【図２】
2005237394.tif 000004
【図３】
2005237394.tif 000005
【図４】
2005237394.tif 000006
【図５】
2005237394.tif 000007
【図６】
2005237394.tif 000008
【図７】
2005237394.tif 000009